(57)【要約】      （修正有）【課題】繰り返し使用できるばかりかコンパクトに折り畳めて携帯にも便利であり、しかも、長い傘や折畳み傘にも使用でき使い勝手が良い濡れ傘収納ケースを提供する。【解決手段】ケース本体１が防水性かつ柔軟性を有する生地により筒状に形成され、その長手方向の一端に雨水の排出口２を設けると共に他端に傘の挿入口３を設け、該挿入口３側の端部には吊下げ用紐片４の一端部を取着する。ケース本体１における排出口２側の端部と該端部から挿入口３側へ所定の間隔離れた位置にそれぞれ係脱自在に係合する第一・二係止部５，６を設ける。挿入口３側の端部であり吊下げ用紐片４が取着される側と該吊下げ用紐片４の他端部にそれぞれ係脱自在に係合する第三・四係止部７，８を設ける。第一係止部５は第三係止部７にも係脱自在である。【選択図】図１
0003152667.tif 000002
【実用新案登録請求の範囲】
【請求項１】
付着した雨水が滴下したり周囲に飛散しないように濡れ傘を収納しておく濡れ傘収納ケースであって、
ケース本体は防水性かつ柔軟性を有する生地により筒状に形成され、その長手方向の一端に雨水の排出口を設けると共に他端に傘の挿入口を設け、前記挿入口側の端部には吊下げ用紐片の一端部を取着し、
前記ケース本体における前記排出口側の端部と該端部から前記挿入口側へ所定の間隔離れた位置にそれぞれ係脱自在に係合する第一係止部と第二係止部を設け、
前記ケース本体における前記挿入口側の端部であり前記吊下げ用紐片が取着される側と該吊下げ用紐片の他端部にそれぞれ係脱自在に係合する第三係止部と第四係止部を設け、
前記排出口側の端部に設けられた前記第一係止部は前記挿入口側の端部に設けられた前記第三係止部にも係脱自在に係合することを特徴とする濡れ傘収納ケース。
【請求項２】
付着した雨水が滴下したり周囲に飛散しないように濡れ傘を収納しておく濡れ傘収納ケースであって、
ケース本体は防水性かつ柔軟性を有する生地により筒状に形成され、その長手方向の一端に雨水の排出口を設けると共に他端に傘の挿入口を設け、前記挿入口側の端部には吊下げ用紐片の一端部を取着し、
前記ケース本体における前記排出口側の端部と該端部から前記挿入口側へ所定の間隔離れた位置にそれぞれ係脱自在に係合する第一係止部と第二係止部を設け、
前記ケース本体における前記挿入口側の端部であり前記吊下げ用紐片が取着される側と該吊下げ用紐片の他端部にそれぞれ係脱自在に係合する第三係止部と第四係止部を設け、
前記ケース本体における前記第二係止部と第三係止部との間であって所定の位置に前記第一係止部と係脱自在に係合する第五係止部を設け、
前記排出口側の端部に設けられた前記第一係止部は前記挿入口側の端部に設けられた前記第三係止部にも係脱自在に係合することを特徴とする濡れ傘収納ケース。
【考案の詳細な説明】
【技術分野】
【０００１】
本考案は、降雨時に使用して濡れた傘をそのまま店舗内や乗り物内に持ち込む場合に、雨水が床面に適下したり周囲に飛散しないように該濡れ傘を収納しておく濡れ傘収納ケースに関するものである。
【背景技術】
【０００２】
従来、降雨時にスーパーマーケット等の店舗内に濡れた傘をそのまま持ち込むと、その濡れた傘から雨水が床面に滴下して該床面を汚し不快感を与えたり、床面が滑り易くなって転倒し怪我をするといった問題が生じており、また、傘の雨水が他の顧客の服に付着して迷惑を掛けるといった問題も生じている。同じ様に、降雨時に電車等の乗り物に濡れた傘をそのまま持ち込んでも、雨水が床面に適下して該床面を汚し不快感を与えたり、床面が滑り易くなって昇降時に転倒するなどの危険性が有り、また、他の乗客の服に雨水が付着して不快感を与えるといった問題が生じている。
【０００３】
このため、これら問題を解消するに、店舗や駅に使い捨て用のビニール袋を備え付けるようにしているところが見受けられる。このビニール袋は、例えば特許文献１に示すようにビニール樹脂を素材とし、一端が封止されると共に他端が傘を挿入できるように開口した筒状に形成されている。
【先行技術文献】
【特許文献】
【０００４】
【特許文献１】実用新案登録第３１４１２４５号公報（第２頁、図１）
【考案の概要】
【考案が解決しようとする課題】
【０００５】
前記特許文献１のようなビニール袋を使用してその中に濡れた傘を収納するようにすれば、前記店舗や電車内でその床面を雨水で汚したり滑って転倒するといった危険性を回避できるばかりか、他の顧客や乗客の服を濡らすといったこともなく周囲に迷惑を及ぼすという問題も解消される。
【０００６】
しかしながら、店舗や駅から出る人は、濡れ傘を収納したビニール袋を外してその傘を携行することになり、一方、これら外されたビニール袋は備え付けのゴミ箱に捨てられることになるが、使用したビニール袋はすべて廃棄処分しなければならず、徒にゴミを増加させることになっている。しかも、使用したビニール袋がすべてゴミ箱に捨てられることはなく、床面に放置したままになっていることもある。このように、床面にビニール袋が放置されていると、通行する人の邪魔になるばかりか、中に雨水が入っていることから滑り易く、滑って転倒するといった危険性も有る。
【０００７】
そこで、本考案は上記課題に鑑みてなされたもので、繰り返し使用できてゴミの増加が抑えられると共にコンパクトに折り畳めて携帯にも便利であり、しかも、長い傘や折畳み傘にもその長さが自在に調節して使用でき極めて使い勝手が良い濡れ傘収納ケースを提供することを目的とするものである。
【課題を解決するための手段】
【０００８】
かかる目的を達成するため、本考案の濡れ傘収納ケースは、付着した雨水が滴下したり周囲に飛散しないように濡れ傘を収納しておく濡れ傘収納ケースであって、ケース本体は防水性かつ柔軟性を有する生地により筒状に形成され、その長手方向の一端に雨水の排出口を設けると共に他端に傘の挿入口を設け、前記挿入口側の端部には吊下げ用紐片の一端部を取着し、前記ケース本体における前記排出口側の端部と該端部から前記挿入口側へ所定の間隔離れた位置にそれぞれ係脱自在に係合する第一係止部と第二係止部を設け、前記ケース本体における前記挿入口側の端部であり前記吊下げ用紐片が取着される側と該吊下げ用紐片の他端部にそれぞれ係脱自在に係合する第三係止部と第四係止部を設け、前記排出口側の端部に設けられた前記第一係止部は前記挿入口側の端部に設けられた前記第三係止部にも係脱自在に係合することを特徴とする。
【０００９】
また、本考案の濡れ傘収納ケースは、付着した雨水が滴下したり周囲に飛散しないように濡れ傘を収納しておく濡れ傘収納ケースであって、ケース本体は防水性かつ柔軟性を有する生地により筒状に形成され、その長手方向の一端に雨水の排出口を設けると共に他端に傘の挿入口を設け、前記挿入口側の端部には吊下げ用紐片の一端部を取着し、前記ケース本体における前記排出口側の端部と該端部から前記挿入口側へ所定の間隔離れた位置にそれぞれ係脱自在に係合する第一係止部と第二係止部を設け、前記ケース本体における前記挿入口側の端部であり前記吊下げ用紐片が取着される側と該吊下げ用紐片の他端部にそれぞれ係脱自在に係合する第三係止部と第四係止部を設け、前記ケース本体における前記第二係止部と第三係止部との間であって所定の位置に前記第一係止部と係脱自在に係合する第五係止部を設け、前記排出口側の端部に設けられた前記第一係止部は前記挿入口側の端部に設けられた前記第三係止部にも係脱自在に係合することを特徴とする。
【考案の効果】
【００１０】
本考案に係る濡れ傘収納ケースは、防水性かつ柔軟性を有する生地により一端に雨水の排出口が設けられると共に他端に傘の挿入口が設けられた筒状のケース本体を形成し、該ケース本体の挿入口側の端部に吊下げ用紐片の一端部を取着し、前記ケース本体における排出口側の端部と該端部から挿入口側へ所定の間隔離れた位置にそれぞれ係脱自在に係合する第一係止部と第二係止部を設け、挿入口側の端部であり吊下げ用紐片が取着される側と該吊下げ用紐片の他端部にそれぞれ係脱自在に係合する第三係止部と第四係止部を設け、排出口側の端部に設けられた第一係止部は挿入口側の端部に設けられた第三係止部にも係脱自在に係合する構成からなる。そして、該濡れ傘収納ケースは、排出口側を挿入口側へ折り曲げると共に第一係止部を第二係止部に係合させその下端部を塞いだ状態で使用される。
【００１１】
このように、本考案に係る濡れ傘収納ケースは、ケース本体を排出口と挿入口とを有した筒状に形成すると共に挿入口側の端部に吊下げ用紐片を設け、ケース本体の各所に係脱自在に係合する第一乃至四係止部を設けるようにしたので、濡れ傘収納ケースを携行して繰り返し使用でき、従来のような使い捨て式のビニール袋に比較してゴミの減量が図られる。しかも、ケース本体を長手方向に沿って数回折り重ねた状態で、吊下げ用紐片を巻き挿入口側端部の第三係止部と吊下げ用紐片の他端部の第四係止部を係合させることにより、ケース本体がコンパクトに折り畳めて携帯でき便利であるという効果を奏する。
【００１２】
また、本考案に係る濡れ傘収納ケースは、前記ケース本体における第二係止部と第三係止部との間であって所定の位置に第一係止部と係脱自在に係合する第五係止部を設けるようにすれば、通常の長い傘の外にこれより短い折畳み傘であってもその長さに合わせてケース本体の長さを調節して使用でき使い勝手が良い。
【図面の簡単な説明】
【００１３】
【図１】（イ）は本考案に係る濡れ傘収納ケースの表側から見た斜視図、（ロ）は同裏側から見た斜視図。
【図２】濡れ傘収納ケースの拡大縦断面図。
【図３】使用方法を説明する濡れ傘収納ケースの斜視図。
【図４】同使用状態図。
【図５】他の使用方法を説明する濡れ傘収納ケースの斜視図。
【図６】同使用状態図。
【図７】他の濡れ傘収納ケースを使用したタクシーの中での使用状態図。
【図８】（イ）（ロ）（ハ）は折り畳む手順を説明する濡れ傘収納ケースの斜視図。
【考案を実施するための形態】
【００１４】
以下、本考案に係る濡れ傘収納ケースを実施するための最良の形態を図面に従って説明する。図１（イ）は本考案に係る濡れ傘収納ケースの表側から見た斜視図、（ロ）は同裏側から見た斜視図、図２は濡れ傘収納ケースの拡大縦断面図である。濡れ傘収納ケースＣのケース本体１は、例えばポリエステル樹脂、ポリウレタン樹脂、ポリプロピレン樹脂等の柔軟性を有する破れ難い素材が使用され、表生地１ａと裏生地１ｂとを重ね合わせて形成される。この場合、防水手段として、例えばケース本体１の外周面にポリウレタン樹脂をコーティングする手段が採られる。
【００１５】
ケース本体１は、表生地１ａと裏生地１ｂとを重ね合わせると共にそれら縁部を縫着して筒状をなす。また、ケース本体１はその長手方向の一端縁の幅が他端縁よりも短く、長手方向に沿った両側縁が全体に一端縁側へ進むに従いその間の幅が漸次狭くなるようにテーパー状に形成されている。ケース本体１の長さは、例えば７７ｃｍまたは８０ｃｍとされる。７７ｃｍのものは後記するように自家用車やタクシー等の商業車といった自動車内で使用する場合であり、８０ｃｍのものはスーパーマーケット、デパートといった店舗や電車、バスといった公共の乗り物内で使用する場合である。ケース本体１はその長手方向の一端に濡れた傘Ｕと共に入った雨水を排出するための排出口２が設けられ、他端に傘Ｕを挿入するための挿入口３が設けられている。該挿入口３側の端部であって裏生地１ｂに、吊下げ用紐片４の一端部が縫着して取着されている。なお、一端側の両側縁部は、その長手方向に沿って二重に縫着されている。これは、溜まった雨水が隙間から染み出ないようにしっかりと防水するためである。
【００１６】
そして、前記ケース本体１における排出口２側の端部に第一係止部としての第一雌型ホック５が設けられ、該端部から前記挿入口３側へ所定の間隔（例えば、１３ｃｍ）離れた位置に第一雌型ホック５と係脱自在に係合する第二係止部としての第二雄型ホック６が設けられる。所定の間隔とは、排出口２側のケース本体１を折り曲げて第一雌型ホック５と第二雄型ホック６を係合させ濡れ傘収納ケースＣを使用しているとき、その排出口２から中に溜まった雨水が零れ出ない程度の距離である。第一雌型ホック５は、長手方向に対し直交する方向での中間に表生地１ａと裏生地１ｂとを貫通した状態で設けられ、その係合面５ａが裏生地１ｂの外面に露出している。また、第二雄型ホック６は、表生地１ａに設けられその係合面６ａが該表生地１ａの外面に露出している。
【００１７】
更に、前記ケース本体１における挿入口３側の端部であり前記吊下げ用紐片４が取着された部位に第三係止部としての第三雄型ホック７が設けられ、吊下げ用紐片４の他端部に第三雄型ホック７と係脱自在に係合する第四係止部としての第四雌型ホック８が設けられる。第三雄型ホック７は裏生地１ａと吊下げ用紐４とを貫通するようにして設けられ、その係合面７ａが裏生地１ｂの外面に露出して入る。一方、第四雌型ホック８はその係合面８ａが表生地１ａの外面と同じ面に露出している。
【００１８】
更にまた、前記ケース本体１における第二雄型ホック６と第三雄型ホック７との間であって所定の位置（例えば、第二雄型ホック６から挿入口３側へ向かって約４０ｃｍの位置）に、前記第一雌型ホック５と係脱自在に係合する第五係止部としての第五雄型ホック９が設けられる。所定の位置とは、第一雌型ホック５を第５雄型ホック９に係合させたとき、濡れ傘収納ケースＣの全体長さが後記するように折畳み傘Ｕ２を伸ばしたまま収納できる寸法になるような位置である。第五雄型ホック９は、表生地１ａに設けられ、係合面９ａが表生地１ａの外面に露出している。すなわち、この第五雄型ホック９は、折畳み傘Ｕ２を伸ばした状態で収納する場合に使用される。
【００１９】
本考案に係る濡れ傘収納ケースＣは上記構成からなり、次にその使用方法について説明する。先ず、通常の長い傘Ｕ１を収納する場合は、図３に示すように排出口２側の端部を表生地１ａ側へ巻くようにして折り曲げて第一雌型ホック５と第二雄型ホック６を互いの係合面５ａ，６ａを重ねて係合させる。この状態で、挿入口３側からケース本体１内に濡れた長い傘Ｕ１を収納し、挿入口３の端部に設けられた吊下げ用紐片４を長い傘Ｕ１の柄Ｅに巻く。そして、ケース本体１の挿入口３側の端部に設けられた第三雄型ホック７と吊下げ用紐片４の他端部に設けられた第四雌型ホック８を、互いの係合面７ａ，８ａを重ねて係合させる。
【００２０】
これにより、図４に示すように濡れ傘収納ケースＣは吊下げ用紐片４により長い傘Ｕ１にしっかりと固定され、長い傘Ｕ１から抜け落ちるようなことはない。しかも、長い傘Ｕ１が濡れ傘収納ケースＣに収納され長い傘Ｕ１の雨水が周囲に飛散することがないので、周りの人に迷惑を掛けるといった心配はない。また、下部の排出口２側は二重に折り曲げられていることもあって、下部に溜まった雨水が排出口２から無用に零れ出ることがなく、しかも、滴下して床面を濡らし他の人に不快感を与えることもなく、快適に使用できる。
【００２１】
折畳み傘Ｕ２を伸ばしたまま濡れ傘収納ケースＣに収納する場合は、図５に示すようにケース本体１における排出口２側の端部を表生地１ａ側へ巻くようにして折り曲げると共に、ケース本体１における排出口２側のほぼ半分を表生地１ｂ側へ二つ折りする。そして、第一雌型ホック５を第二雄型ホック６と第三雄型ホック７との間に設けられた第五雄型ホック９に係合させて使用される。この場合も、図６に示すように濡れ傘収納ケースＣは吊下げ用紐片４により折畳み傘Ｕ２にしっかりと固定されるので、濡れ傘収納ケースＣが折畳み傘Ｕ２から抜け落ちることはない。しかも、折畳み傘Ｕ２が濡れ傘収納ケースＣに収納され、その雨水が周囲に飛散することがない。また、下部の排出口２側は折り曲げられていることから、そこに溜まった雨水が排出口２から零れ出ることもない。
【００２２】
図７は、自動車の一例としてのタクシー内で使用される濡れ傘収納ケースＣ１を示すものである。この濡れ傘収納ケースＣ１は、店舗や公共の乗り物内で使用する前記濡れ傘収納ケースＣとほとんど同じ形状をしているので、同一部位には同一番号を付して詳しい説明は省略する。ただ、この濡れ傘収納ケースＣ１は、前記濡れ傘収納ケースＣよりもケース本体１の長さが少し短く７７ｃｍに設定されている。また、吊下げ用紐片４における一端部が取り付けられる位置と第三雄型ホック７との位置がずれている。そして、濡れた長い傘Ｕ１を濡れ傘収納ケースＣ１に収納するには、前記と同様に第一雌型ホック５と第二雄型ホック６を係合させて下端を折り曲げた状態で、挿入口３から濡れた長い傘Ｕ１を収納する。そして、座席シートＳの後側に濡れ傘収納ケースＣ１に収納した長い傘Ｕ１を配置すると共に吊下げ用紐片４を後側からヘッドレストＨ下面の脚杆Ｋに巻き、その端部の第四雌型ホック８をケース本体１における挿入口３側の端部に設けられた第３雄型ホック７に係合させる。これにより、長い傘Ｕ１を収納した濡れ傘収納ケースＣ１が、ヘッドレストＨの脚杆Ｋに吊り下げられる。この状態では、長い傘Ｕ１の雨水が周囲に飛散することがなく、しかも、床面に適下することもないので、車内の床や座席シートＳ、更には乗っている人までが無用に濡れることがなく、快適に乗ることができる。
【００２３】
長い傘Ｕ１または折畳み傘Ｕ２と共に濡れ傘収納ケースＣを携帯する場合は、図８（イ）に示すようにまずケース本体１を表生地１ａが内側となるようにして長手方向の中央部で二つ折りすると共に二つ折りしたケース本体１を図８（ロ）に示すように更に二つ折りし、続いて二回繰り返して合計四回二つ折りする。そして、幾重にも折り曲げたケース本体１の周囲に、吊下げ用紐片４を巻いてその端部の第四雌型ホック８を挿入口３側の端部に設けられた第三雄型ホック７に係合させる。これにより、濡れ傘収納ケースＣが図８（ハ）に示すように小さくコンパクトに折り畳め、服のポケットや鞄の中に場所をとらずに収納できる。前記タクシーの中で使用される濡れ傘収納ケースＣ１についても、同様にしてコンパクトに折り畳める。
【００２４】
このように、本考案に係る濡れ傘収納ケースＣ，Ｃ１は、ケース本体１を排出口２と挿入口３とを有した筒状に形成すると共に挿入口３側の端部に吊下げ用紐片４を設け、ケース本体１の各所に係脱自在に係合する第一乃至四係止部を設けるようにしたので、濡れ傘収納ケースＣ，Ｃ１を携行して繰り返し使用でき、従来のような使い捨て式のビニール袋に比較してゴミの減量が図れる。また、第一係止部を他の係止部に掛け替えることにより、通常の長い傘Ｕ１の外にこれより短い折畳み傘Ｕ２であってもその長さに合わせてケース本体１の長さを調節できて使い勝手が良い。しかも、ケース本体１を長手方向に沿って数回折り重ねた状態で、吊下げ用紐片４により巻いて挿入口３側端部の第三係止部と吊下げ用紐片４の他端部の第四係止部を係合させることにより、ケース本体１がコンパクトに折り畳めて携帯でき便利である。
【００２５】
本考案にあっては、第一乃至五係止部として第一雌型ホック５乃至第五雄型ホック９を示したが、これらに限られるものではない。第一乃至五係止部として、例えば互いに係脱自在に係合する雌・雄面ファスナー、または互いに係脱自在に係合するリング状の紐とボタンであっても良いことは勿論である。
【符号の説明】
【００２６】
１              ケース本体
２              排出口
３              挿入口
４              吊下げ用紐片
５              第一係止部（第一雌型ホック）
６              第二係止部（第二雄型ホック）
７              第三係止部（第三雄型ホック）
８              第四係止部（第四雌型ホック）
９              第五係止部（第五雄型ホック）
Ｃ              濡れ傘収納ケース
Ｃ１            濡れ傘収納ケース
Ｕ（Ｕ１）      長い傘
Ｕ（Ｕ２）      折畳み傘
【図１】
0003152667.tif 000003
【図２】
0003152667.tif 000004
【図３】
0003152667.tif 000005
【図４】
0003152667.tif 000006
【図５】
0003152667.tif 000007
【図６】
0003152667.tif 000008
【図７】
0003152667.tif 000009
【図８】
0003152667.tif 000010